(57)【要約】      （修正有）【課題】着用時の姿勢の矯正を安定して得ることができる衣類を提供する。【解決手段】インナーシャツ１は、シャツ本体と、シャツ本体の肌側に縫着された一対の矯正帯部２０を備えており、矯正帯部２０は、シャツ本体よりも長手方向の伸縮性が低く連続した帯状の伸縮性布片２１〜２３を重ね合せて構成されており、伸縮性布片２１〜２３は、長手方向の緊迫力がシャツ本体側から肌側にいくにしたがい段階的に高くなるように設定されている。【選択図】図３
0003207989.tif 000002
【実用新案登録請求の範囲】
【請求項１】
衣類本体と、前記衣類本体の肌側に取り付けた一対の矯正帯部を備えている衣類であって、前記矯正帯部は、前記衣類本体よりも長手方向の伸縮性が低く連続した帯状の伸縮性布片から構成されており、一方の前記矯正帯部は、前記衣類本体の前身頃において右側の脇下部から右側の肩部にかけて前記衣類本体の袖部に沿って取り付けられているとともに前記衣類本体の後身頃において右側の肩部から左側の脇下部にかけてほぼ直線状に取り付けられており、他方の前記矯正帯部は、前記前身頃において左側の脇下部から左側の肩部にかけて前記袖部に沿って取り付けられているとともに前記後身頃において右側の肩部から左側の脇下部にかけてほぼ直線状に取り付けられており、左右両側の脇下部において前記前身頃及び前記後身頃の縫合部分に両方の前記矯正帯部のそれぞれの端部が接続している衣類。
【請求項２】
前記矯正帯部は、複数枚の前記伸縮性布片を重ね合せて構成されている請求項１に記載の衣類。
【請求項３】
前記伸縮性布片は、長手方向の緊迫力が前記衣類本体側から肌側にいくにしたがい段階的に高くなるように設定されている請求項２に記載の衣類。
【請求項４】
前記矯正帯部は、前記衣類本体に当接する前記伸縮性布片が最も広い幅に設定されて両側端に沿う外側縫製ラインで前記衣類本体に縫着されており、残りの前記伸縮性布片は、外側縫製ラインより内側の内側縫製ラインで両側端に沿って前記衣類本体に当接する前記伸縮性布片とともに前記衣類本体に縫着されている請求項２又は３に記載の衣類。
【考案の詳細な説明】
【技術分野】
【０００１】
本考案は、少なくとも上半身部に着用して姿勢を矯正する衣類に関する。
【背景技術】
【０００２】
上半身部に着用する衣類は、着用者の背部、胸部、肩部、脇部及び胴部を覆うように構成されており、各部の必要箇所に伸縮性を有する布地を取り付けることで、身体に対して伸縮力を作用させて体型の補整や姿勢の矯正を行うようになっている。例えば、特許文献１では、各上肩部と上肩部から背当て部の反対側の対応下部に伸びて背当て部で互いに交差する背当て部側伸縮性帯片と、各前肩部と前肩部から前合せ部の側縁に伸びる前側伸縮帯片とを取り付けた姿勢矯正着が記載されている。また、特許文献２では、本体部と帯状の緊締部とから構成されており、緊締部として、肩甲骨上角から背部中央付近で交差し反対側の胸郭部外側まで延在する緊締部が取り付けられたインナーシャツが記載されている。
【先行技術文献】
【特許文献】
【０００３】
【特許文献１】特開２００３−１４４４６８号公報
【特許文献２】特許第４５８０８０７号公報
【考案の概要】
【考案が解決しようとする課題】
【０００４】
特許文献１では、背当て部側伸縮性帯片及び前側伸縮帯片を取り付けることで、着用者の姿勢矯正を行うようにしているが、両伸縮帯片が身体の肩部で接続するようになっている。猫背等の姿勢の矯正を行う場合、両肩を開いて胸部を張るように姿勢を矯正するが、肩部の接続部分で両伸縮帯片が適正に接続されていないと、姿勢の矯正が不十分となる。また、身体の動作により接続部分が部分的に外れる可能性があり、安定した姿勢の矯正が得られにくいといった課題がある。
【０００５】
特許文献２では、本体部及び緊締部を伸縮性を有する素材で構成し、本体部よりも緊締力の高い素材を緊締部に用いて本体部に縫合することで取り付けている。緊締部に用いる素材に本体部よりも緊締力の高い素材を用いた場合、緊締力の差が大きいと着用時に緊締部と本体部との間の境界が段差状に表出するようになるため、緊締部の緊締力が制約を受けるようになり、姿勢の矯正といった観点からみると効果が十分得られないといった課題がある。
【０００６】
そこで、本考案は、着用時の姿勢の矯正を安定して得ることができる衣類を提供することを目的とするものである。
【課題を解決するための手段】
【０００７】
本考案に係る衣類は、衣類本体と、前記衣類本体の肌側に取り付けた一対の矯正帯部を備えている衣類であって、前記矯正帯部は、前記衣類本体よりも長手方向の伸縮性が低く連続した帯状の伸縮性布片から構成されており、一方の前記矯正帯部は、前記衣類本体の前身頃において右側の脇下部から右側の肩部にかけて前記衣類本体の袖部に沿って取り付けられているとともに前記衣類本体の後身頃において右側の肩部から左側の脇下部にかけてほぼ直線状に取り付けられており、他方の前記矯正帯部は、前記前身頃において左側の脇下部から左側の肩部にかけて前記袖部に沿って取り付けられているとともに前記後身頃において右側の肩部から左側の脇下部にかけてほぼ直線状に取り付けられており、左右両側の脇下部において前記前身頃及び前記後身頃の縫合部分に両方の前記矯正帯部のそれぞれの端部が接続している。さらに、前記矯正帯部は、複数枚の前記伸縮性布片を重ね合せて構成されている。さらに、前記伸縮性布片は、長手方向の緊迫力が前記衣類本体側から肌側にいくにしたがい段階的に高くなるように設定されている。さらに、前記矯正帯部は、前記衣類本体に当接する前記伸縮性布片が最も広い幅に設定されて両側端に沿う外側縫製ラインで前記衣類本体に縫着されており、残りの前記伸縮性布片は、外側縫製ラインより内側の内側縫製ラインで両側端に沿って前記衣類本体に当接する前記伸縮性布片とともに前記衣類本体に縫着されている。
【考案の効果】
【０００８】
本考案は、上記のような構成を有することで、衣類本体よりも長手方向の伸縮性が低く連続した帯状の伸縮性布片から構成された一対の矯正帯部をたすき掛けのように脇下部から両肩部の周囲にかけて取り付けているので、両肩部に対する姿勢矯正の向上を図ることが可能となる。また、衣類本体に取り付けた伸縮性布片の端部を左右両側の脇下部で接続するようにしているので、脇下部から前身頃、肩部及び後身頃にかけて連続した伸縮性布片を取り付けるようになっており、着用者の姿勢の変化に伴う衣類本体の伸縮に追随しながら安定した姿勢矯正効果を得ることが可能となる。
【図面の簡単な説明】
【０００９】
【図１】本考案に係る実施形態に関する衣類を胸側から見た正面図である。
【図２】本考案に係る実施形態に関する衣類を背中側から見た背面図である。
【図３】本考案に係る実施形態に関する衣類を裏返した状態で胸側から見た正面図である。
【図４】本考案に係る実施形態に関する衣類を裏返した状態で背中側から見た正面図である。
【図５】矯正帯部を分解した状態を示す一部拡大図である。
【図６】インナーシャツを着用した状態を背中側からみた外観図である。
【考案を実施するための形態】
【００１０】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１１】
図１は、本考案に係る実施形態に関する衣類を胸側から見た正面図であり、図２は、背中側から見た背面図である。また、図３は、衣類を裏返した状態で胸側から見た正面図であり、図４は、背中側から見た背面図である。本実施形態では、衣類としてインナーシャツを例に説明する。
【００１２】
インナーシャツ１は、シャツ本体が前身頃１０、後身頃１１及び両袖部１２を備えており、前身頃１０及び後身頃１１は、肩部及び脇下部で縫合により直接接続され、肩部及び脇下部の間で両袖部１２と縫合により接続されている。両方の肩部の間には、首部を挿入する開口部１３が形成されている。シャツ本体は、伸縮性を有する薄地の素材からなる布地を裁断して各部の形状に合わせた布片を作成し、作成した布片を縫合して構成することができる。伸縮性を有する素材としては、パワーネット、サテンネット、トリコット、ツーウェイトリコット、ツーウェイラッセルといった編地が挙げられる。シャツ本体には、例えば、ツーウェイトリコットのように柔軟性を有して肌触りの良好な編地を用いるとよい。
【００１３】
シャツ本体の肌側には、連続した帯状の伸縮性布片から構成された左右一対の矯正帯部２０が取り付けられている。矯正帯部２０に用いる伸縮性布片は、シャツ本体に用いられる布地よりも伸縮性の低い布地が用いられており、具体的には、パワーネット、サテンネットトリコット、ツーウェイトリコット、ツーウェイラッセルといった編地で、シャツ本体に用いる編地よりも伸縮性の低い編地が好ましい。
【００１４】
一方の矯正帯部２０は、前身頃１０において右側の脇下部から右側の肩部にかけて袖部１２に沿って取り付けられているとともに後身頃１１において右側の肩部から左側の脇下部にかけてほぼ直線状に取り付けられており、他方の矯正帯部２０は、前身頃１０において左側の脇下部から左側の肩部にかけて袖部１２に沿って取り付けられているとともに後身頃１１において右側の肩部から左側の脇下部にかけてほぼ直線状に取り付けられており、左右両側の脇下部において前身頃１０及び後身頃１１の縫合部分に両方の矯正帯部２０のそれぞれの端部が接続するように縫合されている。
【００１５】
そのため、左右一対の矯正帯部２０は、シャツ本体に対してたすき掛けのように８の字状に形成されて後身頃１１において交差するとともに前身頃１０において両方の肩部を囲むように取り付けられている。この例では、矯正帯部２０は、長手方向に沿って設定された両側の縫製ラインに沿って縫着されることで、取り付けられている。矯正帯部２０は、接着剤、両面接着テープ等の接着手段によりシャツ本体に取り付けることもできる。
【００１６】
この例では、矯正帯部２０は、複数枚の伸縮性布片を重ね合せて構成されており、複数枚の伸縮性布片は、長手方向の伸縮性がシャツ本体側から肌側にいくにしたがい段階的に低くなるように設定されている。具体的には、伸縮性布片の長手方向の緊迫力を伸度３０％で３０ｃＮ〜１００ｃＮに設定し、伸縮性布片の緊迫力をシャツ本体側から肌側にいくにしたがい段階的に高くなるように設定することが好ましい。この例では、矯正帯部２０は、図５に示すように、３枚の伸縮性布片２１〜２３を重ね合せて構成されており、シャツ本体側の伸縮性布片２１の長手方向の緊迫力が最も低く設定され、肌側の伸縮性布片２３の長手方向の緊迫力が最も高く設定されており、中間の伸縮性布片２２の長手方向の緊迫力が伸縮性布片２１及び２３の緊迫力の中間値となるように設定されている。なお、矯正帯部２０は、２枚の伸縮性布片で構成することもでき、この場合には、シャツ本体を構成する生地よりもシャツ本体側の伸縮性布片の緊迫力を高く設定し、肌側の伸縮性布片の緊迫力を最も高く設定するようにすればよい。
【００１７】
また、矯正帯部２０の幅は、３ｃｍ〜１０ｃｍに設定することが好ましく、シャツ本体に当接する伸縮性布片の幅を最も広く設定して両側端に沿う外側縫製ラインでシャツ本体に縫着し、残りの伸縮性布片は、外側縫製ラインより内側の内側縫製ラインで両側端に沿ってシャツ本体に当接する伸縮性布片とともにシャツ本体に縫着する。この例では、シャツ本体に当接する伸縮性布片２１の両側端が一対の外側縫製ライン２４で縫着されており、残りの伸縮性布片２２及び２３の両側端が重ね合わされて一対の内側縫製ライン２５で伸縮性布片２１とともにシャツ本体に縫着されている。
【００１８】
矯正帯部２０は、上述のように構成されているので、シャツ本体よりも長手方向の伸縮性が低く連続した帯状の伸縮性布片をたすき掛けのように脇下部から両肩部の周囲にかけて取り付けることで、両肩部に対する姿勢矯正の向上を図ることが可能となる。また、シャツ本体に取り付けた伸縮性布片の端部を左右両側の脇下部で接続するようにしているので、脇下部から前身頃、肩部及び後身頃にかけて連続した伸縮性布片を取り付けるようになっており、着用者の姿勢の変化に伴うシャツ本体の伸縮に追随しながら安定した姿勢矯正効果を得ることが可能となる。
【００１９】
そして、矯正帯部２０を複数枚の伸縮性布片を重ね合せて構成し、肌側の伸縮性布片の長手方向の伸縮性を低くして段階的に緊迫力を高めることで姿勢矯正の向上を図るとともに、シャツ本体に当接する伸縮性布片の長手方向の伸縮性をシャツ本体に近い伸縮性に設定することができる。また、シャツ本体に当接する伸縮性布片のみ両側端を縫着するとともに残りの伸縮性布片をシャツ本体に当接する伸縮性布片を介して両側端を縫着するようにしているので、シャツ本体の伸縮に合せてシャツ本体に当接する伸縮性布片が伸縮してシャツ本体の矯正帯部の縫着部分に皺や段差が生じるのを防止しながら姿勢矯正効果を格段に高めることが可能となる。
【００２０】
図６は、インナーシャツの着用状態を背中側から見た外観図である。着用状態において、一対の矯正帯部２０は、着用者の背中側において肩部から脇下部にかけて交差するように装着されるようになる。着用者が猫背の姿勢をとろうとする場合、両肩部が前側に動くようになるが、その際に矯正帯部２０が前側に伸長する方向に引張られるようになり、図６に矢印で示すように、両肩部を背中の中心に向かって引き戻す方向の力が働くようになる。そのため、着用者は、姿勢が悪くなったことを実感することができ、引き戻す方向の力が働かなくなるように両肩部を開いて姿勢を矯正するようになる。そして、矯正帯部２０を構成する伸縮性布片は、胸側から背中側にかけて連続した帯状布片に形成されているため、全体に長手方向の引き戻す力が作用するようになって着用者の身体全体に姿勢矯正効果を及ぼすことができる。
【００２１】
また、着用者が前かがみの姿勢をとった場合にも、矯正帯部２０は、長手方向に伸長する方向に引張られるため、両肩部及び両脇下部を背中の中心に向かって引き戻す力が働くようになり、着用者が姿勢が悪くなったことを意識することができ、矯正帯部２０の引き戻す力が働かない状態に姿勢を戻すことで自然と姿勢が矯正されるようになる。
【００２２】
上述した例では、矯正帯部を３枚の伸縮性布片を重ね合せて構成しているが、２枚又は４枚以上の伸縮性布片を重ね合せるように構成することもでき、１枚の伸縮性布片で構成することも可能である。また、シャツ本体に当接する伸縮性布片の表面に複数の伸縮性布片を並列配置して重ね合せるようにしたり、複数枚の伸縮性布片を並列配置してシャツ本体に直接取り付けるようにすることもできる。また、伸縮性布片の長手方向の緊迫力が異なる部位が存在するように設定して、姿勢矯正の効果を向上させることもできる。また、伸縮性布片の素材として、様々な機能を持たせることで、着用者の身体に対して好ましい効能を発揮させることもできる。例えば、伸縮性布片に遠赤外線を放射する物質を含む糸を用いることで、着用時に遠赤外線効果を発揮するようにできる。
【００２３】
上述した例では、インナーシャツを例に説明したが、メンズ用及びレディース用を問わず適用可能で、半袖、７分袖、１０分袖、丸首、Ｖネック、ハイネック等様々な形態の衣類にも適用することができ、特に限定されない。
【実施例】
【００２４】
シャツ本体の素材として、ツーウェイトリコット生地（伸度３０％での緊迫力２７ｃＮ）を準備し、図１に示すように、前身頃、後身頃及び両袖部の形状に裁断して各部を縫合することで、シャツ本体を作成した。
【００２５】
矯正帯部を構成する伸縮性布片として２枚の素材を用いた。１枚目の素材として、サテンネット生地（伸度３０％での緊迫力５２ｃＮ）を準備し、緊迫力の生じる方向が長手方向となるように幅６５ｍｍで帯状の伸縮性布片を作成し、シャツ本体側の伸縮性布片として用いた。また、２枚目の素材として、パワーネット生地（伸度３０％での緊迫力７６ｃＮ）を準備し、緊迫力の生じる方向が長手方向となるように幅５０ｍｍで帯状の伸縮性布片を作成し、肌側の伸縮性布片として用いた。
【００２６】
シャツ本体に当接する伸縮性布片を、図３及び図４に示すように、裏返したシャツ本体に配置して両側端を縫製ラインに沿って縫着した。そして、残りの伸縮性布片を長手方向の中心線が縫着した伸縮性布片と一致するように重ね合せて両側端を縫製ラインに沿って縫着し、矯正帯部を作成した。
【００２７】
作成したインナーシャツを着用した状態で猫背及び前かがみといった姿勢をとろうとしたところ、両肩部を背中側に引き戻す力が働くことを確認した。その際に、矯正帯部に沿ってシャツ本体に目立った皺や段差が生じることはなかった。
【符号の説明】
【００２８】
１・・・インナーシャツ、１０・・・前身頃、１１・・・後身頃、１２・・・袖部、１３・・・開口部、２０・・・矯正帯部、２１〜２３
【図１】
0003207989.tif 000003
【図２】
0003207989.tif 000004
【図３】
0003207989.tif 000005
【図４】
0003207989.tif 000006
【図５】
0003207989.tif 000007
【図６】
0003207989.tif 000008